(57)【要約】  【課題】  載置される原稿を読み取るフラットベッドスキャナと、搬送される原稿を読み取る自動原稿給紙装置（ＡＤＦ）を備え、オプション基板を装着自在とする画像形成装置において、前記オプション基板の有無に拘らずに、前記ＡＤＦを容易に着脱自在とすると共に、装置の省スペース化とメンテナンス性の向上を実現する画像形成装置を提供することである。【解決手段】  装置本体の各動作を制御する回路基板を備えるメイン基板１００にオプション機能のために回路基板を装着可能なオプション基板１１０を重ねて配設可能にすると共に、前記メイン基板および前記オプション基板の両方に前記ＡＤＦ用コネクタを配設し、前記メイン基板のＡＤＦ用コネクタ１０１と前記オプション基板に設けるＡＤＦ用コネクタ１１３とを中継ケーブル１０２で接続する構成とした。【選択図】    図１
2005195775.tif 000002
【特許請求の範囲】
【請求項１】
載置される原稿を読み取るフラットベッドスキャナと、搬送される原稿を読み取る自動原稿給紙装置（ＡＤＦ）と、読み取った原稿画像を記録用紙に印字する記録部と、印字された前記記録用紙を排出する排出トレイとを備える画像形成装置において、
装置本体の各動作を制御する回路基板を備えるメイン基板にオプション機能のために回路基板を装着可能なオプション基板を重ねて配設可能にすると共に、前記メイン基板および前記オプション基板の両方に前記ＡＤＦ用コネクタを配設し、前記メイン基板のＡＤＦ用コネクタと前記オプション基板に設けるＡＤＦ用コネクタとを中継ケーブルで接続する構成としたことを特徴とする画像形成装置。
【請求項２】
前記ＡＤＦが画像形成装置本体と着脱自在に構成されていると共に、前記メイン基板に設けるＡＤＦ用コネクタと前記オプション基板に設けるＡＤＦ用コネクタとのいずれにも接続自在であることを特徴とする請求項１に記載の画像形成装置。
【請求項３】
前記メイン基板にオプション基板を重ねた状態で装置本体内部に全て収容する構成としたことを特徴とする請求項１または２に記載の画像形成装置。
【発明の詳細な説明】
【技術分野】
【０００１】
本発明は、複写機、プリンタ、ファクシミリ装置等の画像形成装置に係り、さらに詳しくは、載置される原稿を読み取るフラットベッドスキャナと、搬送される原稿を読み取る自動原稿給紙装置（ＡＤＦ）を備えると共に、パソコン通信等のオプション機能のための回路基板（ボード）が増設可能な画像形成装置に関する。
【背景技術】
【０００２】
従来、搬送される原稿を読み取る自動原稿給紙装置（ＡＤＦ）と、載置される原稿を読み取るフラットベッドスキャナとを備える画像形成装置が知られている。これは、そのいずれかの原稿を読み取ると共に、装置下部に装着する記録用紙供給トレイから１枚ずつ記録用紙をピックアップして、単一の記録部にて印字して排出トレイに排出する構成とされている。
【０００３】
また、前記画像形成装置をパソコンと接続して、パソコンからの指令によりプリントするプリンタ機能を拡張したり、該画像形成装置で得た画像をパソコンに通信するスキャナ機能を拡張したりするオプション機能を追加することがある。
【０００４】
その際には、増設オプションの回路基板（ボード）を前記画像形成装置本体側に装着する必要がある。
【０００５】
また、後付けされるオプションの回路基板を通信ユニットに略直交する方向に投影した領域に配設する構成として、装置本体の小型化を図り、基板交換の作業性の向上を実現するとした画像形成装置が公開されている（例えば、特許文献１参照）。
【特許文献１】特開２００３−７８６８０号公報（第１−１０頁、第４図）
【発明の開示】
【発明が解決しようとする課題】
【０００６】
上記の特許文献１に記載の画像形成装置は、装置本体の小型化及びノイズの抑制、さらには、回路基板交換の作業性の向上を実現するために、本体制御基板とオプション回路基板とを配設する領域を定めたものであって、自動原稿給紙装置（ＡＤＦ）を着脱自在とする際に、オプション回路基板を着脱容易とするものではない。
【０００７】
また、前記ＡＤＦを着脱する際には、本体制御基板に接続しているケーブルやハーネスを着脱する必要があって、後付けするオプション回路基板の装着位置によっては、一旦オプション回路基板を取り外した後で作業しなければならない。
【０００８】
さらに、装置の全体サイズをコンパクトにしたい場合には、後付けするオプション回路基板も装置本体内部に収容することが肝要となる。
【０００９】
本発明の目的は、載置される原稿を読み取るフラットベッドスキャナと、搬送される原稿を読み取る自動原稿給紙装置（ＡＤＦ）を備え、オプション機能のための回路基板を装着自在とする画像形成装置において、前記オプション回路基板の有無に拘らずに、ＡＤＦを容易に着脱自在とすると共に、装置の省スペース化とメンテナンス性の向上を実現する画像形成装置を提供することである。
【課題を解決するための手段】
【００１０】
上記の目的を達成するために請求項１に係る発明は、載置される原稿を読み取るフラットベッドスキャナと、搬送される原稿を読み取る自動原稿給紙装置（ＡＤＦ）と、読み取った原稿画像を記録用紙に印字する記録部と、印字された前記記録用紙を排出する排出トレイとを備える画像形成装置において、装置本体の各動作を制御する回路基板を備えるメイン基板にオプション機能のために回路基板を装着可能なオプション基板を重ねて配設可能にすると共に、前記メイン基板および前記オプション基板の両方に前記ＡＤＦ用コネクタを配設し、前記メイン基板のＡＤＦ用コネクタと前記オプション基板に設けるＡＤＦ用コネクタとを中継ケーブルで接続する構成としたことを特徴としている。
【００１１】
上記の構成を有する請求項１に係る発明によれば、メイン基板のＡＤＦ用コネクタにも、オプション基板のＡＤＦ用コネクタにも装着自在なＡＤＦを備える画像形成装置とすることができる。
【００１２】
請求項２に係る発明は、前記ＡＤＦが画像形成装置本体と着脱自在に構成されていると共に、前記メイン基板に設けるＡＤＦ用コネクタと前記オプション基板に設けるＡＤＦ用コネクタとのいずれにも接続自在であることを特徴としている。
【００１３】
上記の構成を有する請求項２に係る発明によれば、ＡＤＦを装着する際に、オプション基板を装着していない時には、そのままメイン基板のＡＤＦ用コネクタに接続し、オプション基板を増設した際には、前記メイン基板のＡＤＦ用コネクタとオプション基板のＡＤＦ用コネクタとを中継すると共に、前記オプション基板に設けるＡＤＦ用コネクタに接続すればよく、オプション基板の有無に拘らずに容易にＡＤＦを着脱可能な構成とすることができる。
【００１４】
請求項３に係る発明は、前記メイン基板にオプション基板を重ねた状態で装置本体内部に全て収容する構成としたことを特徴としている。
【００１５】
上記の構成を有する請求項３に係る発明によれば、オプション基板を増設しても、装置本体から突出せず、装置の全体サイズをコンパクトに構成することができる。
【発明の効果】
【００１６】
本発明によれば、フラットベッドスキャナとＡＤＦを備える構成の画像形成装置において、オプション基板の有無に拘らずに、ＡＤＦを容易に着脱自在とすると共に、装置の省スペース化とメンテナンス性の向上を実現する画像形成装置を得ることできる。
【発明を実施するための最良の形態】
【００１７】
載置される原稿を読み取るフラットベッドスキャナと、搬送される原稿を読み取る自動原稿給紙装置（ＡＤＦ）を備え、オプション機能のための回路基板（ボード）を装着自在とする画像形成装置において、前記オプション回路基板の有無に拘らずに、ＡＤＦを容易に着脱自在とすると共に、装置の省スペース化とメンテナンス性の向上を実現する画像形成装置を得るという目的を、装置本体の各動作を制御する回路基板を備えるメイン基板にオプション機能のために回路基板を装着可能なオプション基板を重ねて配設可能にすると共に、前記メイン基板および前記オプション基板の両方に前記ＡＤＦ用コネクタを配設し、前記メイン基板のＡＤＦ用コネクタと前記オプション基板に設けるＡＤＦ用コネクタとを中継ケーブルで接続する構成とした画像形成装置とすることで実現した。
【実施例】
【００１８】
以下、本発明に係る画像形成装置の実施例について、図１から図３に基づいて説明する。
【００１９】
図１は本発明に係る画像形成装置の概略全体図を示している。図２はメイン基板にオプション基板を重ねて配設したところを示す斜視図である。図３は本発明に係る画像形成装置の全体構成例を示す全体断面図である。
【００２０】
図３に示す画像形成装置１は、例えばファックス機能とコピー機能を有する装置であって、画像の読取と記録の両方を行うことができるものである。前記画像形成装置１は本体上部に設けられたＡＤＦ（自動原稿給紙装置）１２と、フラットベッドスキャナ１０と、読取部２とを備えており、原稿排出トレイ部をその上部に備える押圧板１３の下部に位置するプラテンガラス１４に載置される原稿と、前記ＡＤＦ１２から送られてくる原稿との両方を読取可能な構成である。
【００２１】
読取部２には読取用のＣＣＤヘッド１５を備える読取ユニット１６が配設されていて、図中の水平方向に移動自在な構成とされていて、ＡＤＦ１２直下に位置する読取位置にて原稿台１１からＡＤＦ１２を通過して搬送されてくる原稿を読み取ることも、プラテンガラス１４上に載置された原稿を、水平方向に移動して読み取ることもできる構成としている。押圧板１３はプラテンガラス１４上に載置される原稿を押えるカバー蓋である。
【００２２】
また、前記読取部２の下部には、用紙収納部３と記録部４が配設されていて、用紙トレイ１７に収納された用紙束１８から記録用紙Ｐを１枚ずつ取り出して、記録部４に搬送して、読み取られた画像を記録用紙Ｐに記録する構成である。
【００２３】
前記記録用紙Ｐはピックアップローラ１９により１枚ずつピックアップされ搬送ローラ２０から感光ドラム２５と転写ローラ２６のニップ部にて、画像を記録し、ヒートローラ２８と加圧ローラ２９により定着する構成である。前記画像は、レーザースキャニングユニット２７が生成する、入力された画像データに対応したレーザ光を、帯電された感光ドラム２５の表面に照射して形成した静電潜像であって、プラテンガラス１４に載置される原稿と、前記ＡＤＦ１２から送られてくる原稿とのいずれかの原稿の読取画像を記録するものである。
【００２４】
２１は従動ゴムローラであり、駆動ローラである搬送ローラ２０に圧接されて一対の送りローラを形成している。
【００２５】
またこの時に、２３は帯電ブラシであり、２４はメモリ除去ブラシであって、２２はこれらを一体的に取替自在に構成したドラムユニットである。
【００２６】
記録部４にて片面に印字された記録用紙Ｐは、通常の片面印字の場合にはそのまま排出ローラ３０から排出トレイ３２に排出される。しかし、両面印字の場合には、用紙検知センサＳ１が記録用紙Ｐの後端を検知すると、前記排出ローラ３０を一旦停止した後で逆方向に回転させて、記録用紙Ｐをスイッチバックする。
【００２７】
前記排出ローラ３０は駆動ローラ３０Ａとゴム製の従動ローラ３０Ｂとから構成される送りローラであって、前記駆動ローラ３０Ａを正逆駆動自在な構成とすることで、排出ローラ３０にスイッチバック機能を与える構成である。
【００２８】
スイッチバックされた記録用紙Ｐは、反転搬送路４１を備える両面印字ユニット４０内を矢印４２方向に搬送される。前記反転搬送路４１は搬送ローラ４３と搬送ローラ４４を備えており、該反転搬送路４１を経由して再度搬送ローラ２０から感光ドラム２５と転写ローラ２６のニップ部に片面が印字された記録用紙Ｐを搬送する。この時に記録用紙Ｐの姿勢は１回目に印字された第一面とは反対側の第二面が感光ドラム２５に対面しており、両面に印字することが可能となる。
【００２９】
前記搬送ローラ４３は駆動ローラ４３Ａとゴム製の従動ローラ４３Ｂとから構成されており、搬送ローラ４４は駆動ローラ４４Ａとゴム製の従動ローラ４４Ｂとから構成されていて、駆動ローラを回転駆動することで用紙をニップしながら搬送することができる一対の送りローラを形成している。
【００３０】
両面印字された記録用紙Ｐは排出ローラ３０からスイッチバックされずにそのまま排出トレイ３２に排出される。つまり、両面印字の際には、前記排出ローラ３０は、記録用紙Ｐの第一面印字後はスイッチバックし、第二面印字後にはスイッチバックしないように構成されている。
【００３１】
次に図１及び図２により、メイン基板１００とオプション基板１１０とを重ねて配設する構成について説明する。図１は本発明に係る画像形成装置の概略全体図を示しており、図２はメイン基板にオプション基板を重ねて配設したところを示す斜視図である。
【００３２】
メイン基板１００は、画像形成装置全般の各動作を制御する回路基板である各制御ボードを備える基板であって、原稿送り制御や原稿読取制御や通信制御や記録用紙への書き込み制御を行うための基板である。また、オプション基板１１０は、複数回線伝送用の複数回線ボードや、パソコンと接続してプリンタ機能やスキャナ機能を拡張するためのパソコン通信用ボード等のオプションボードを装着するための板金フレームであり、使用者の要望に応じて装置本体に後付け可能な構成とされている。
【００３３】
本発明においては、画像形成装置１の装置本体１Ａの内部に、前記メイン基板１００と前記オプション基板１１０とを重ねて配設する構成としている。そのために、例えば、複数回線伝送用の複数回線ボード１１１やパソコン通信用ボード１１２を有するオプション基板１１０を装着しても、装置本体１Ａから突出することなく、コンパクトな装置外観を保つことができる。
【００３４】
また、ＡＤＦ（自動原稿給紙装置）１２はケーブル１２Ａと該ケーブル１２Ａ先端に装着されるコネクタ１２Ｂを介して前記メイン基板１００のＡＤＦ用コネクタ１０１に接続される構成であると共に、装置本体１Ａに着脱自在な構成とされている。
【００３５】
その理由は、前記ＡＤＦ１２のメンテナンス時に容易に取り外す構成としておけばそのメンテナンス作業が簡単に行えるからである。また、読取頻度の変化や短縮ダイアル等の付加機能の採用等の変化が生じた場合には今まで使用していたＡＤＦ１２をそのまま使用することが出来ず、それらの変化に見合う構成のＡＤＦ１２やその他の原稿読取装置に交換せざるを得ない場合があるからである。
【００３６】
また、画像形成装置１の使用状況も変化する場合があり、特に、複数の電話回線に接続してファクシミリ通信を可能とする複数回線用の複数回線機能を追加する要望や、パソコンと接続してプリンタ機能やスキャナ機能を拡張するためのパソコン通信機能等のオプション機能を追加する要望が増加してきている。
【００３７】
上記のようなオプション機能を追加する際には、増設オプションの各ボードを前記画像形成装置本体側に装着する必要がある。また、新たに設けるオプション基板１１０を、従来のメイン基板１００に重ねるように配設すると共に、装置本体１Ａの基板装着凹部１Ａａ内に重ねた状態で収容可能な構成とすることで、後付けするオプション基板１１０のための余分なスペースを必要とせず好適である。
【００３８】
しかしそのままでは、オプション基板１１０の奥側に位置するメイン基板１００に装着しているＡＤＦ１２のコネクタ１２Ｂが着脱できない。そのために、増設するオプション基板１１０に予め前記ＡＤＦ用コネクタを配設しておく構成とした。また、その際には、前記メイン基板１００のＡＤＦ用コネクタ１０１と前記オプション基板１１０に設けるＡＤＦ用コネクタ１１３とを中継ケーブル１０２で接続する構成としている。
【００３９】
つまり、前記オプション基板１１０に設けるＡＤＦ用コネクタ１１３は、ＡＤＦ１２とメイン基板１００とを電気的に接続する中継コネクタとなる。
【００４０】
そのために、画像形成装置全般の各動作を制御するためのメイン基板１００に加えて新たに増設するオプション基板１１０を装着しても、前記ＡＤＦを装置本体１Ａと着脱自在な構成に維持しておくことができる。
【００４１】
上記のように、ＡＤＦ１２を装置本体１Ａと着脱自在な構成とし、前記メイン基板１００に設けるＡＤＦ用コネクタ１０１と前記オプション基板１１０に設けるＡＤＦ用コネクタ１１３とのいずれにも接続自在とし、さらに、前記メイン基板１００にオプション基板１１０を重ねた状態で装置本体１Ａ内部に全て収容する構成としたので、メンテナンス性の向上を実現すると共に、さらに、装置本体１Ａから突出することなく、コンパクトな装置外観を保つことができる。
【図面の簡単な説明】
【００４２】
【図１】本発明に係る画像形成装置の概略全体図を示している。
【図２】メイン基板にオプション基板を重ねて配設したところを示す斜視図である。
【図３】本発明に係る画像形成装置の全体構成例を示す全体断面図である。
【符号の説明】
【００４３】
１  画像形成装置
２  読取部
４  記録部
１０  フラットベッドスキャナ
１２  ＡＤＦ（自動原稿給紙装置）
１００  メイン基板
１０１  ＡＤＦ用コネクタ
１０２  中継ケーブル
１１０  オプション基板
１１３  ＡＤＦ用コネクタ（オプション基板の）
Ｐ  記録用紙
【図１】
2005195775.tif 000003
【図２】
2005195775.tif 000004
【図３】
2005195775.tif 000005